(57)【要約】  本発明に係る断層画像表示装置において、ＭＩＰ軸設定部２０は被検体における所定の軸をＭＩＰ軸として設定する。位置情報算出部２１は異なる関心領域について得られた三次元ボリュームデータの各々の位置を、ＭＩＰ軸と関心領域との位置関係に対応する三次元的位置に設定する。三次元データ統合部２３は三次元的位置が設定された三次元ボリュームデータの各々を単一の三次元データに統合し、ＭＩＰ画像生成部２７は統合された三次元データに対し、ＭＩＰ軸に直交する単一または複数の投影方向からＭＩＰ画像を投影させる。この場合ＭＩＰ画像において、各三次元ボリュームデータの投影像は、ＭＩＰ軸と関心領域との位置関係に対応する位置に投影される。そのため単一のＭＩＰ画像を参照し、複数の関心領域について被検体の所定の軸の位置と対応づけて診断できる。
2016080054.tif 000002
【特許請求の範囲】
【請求項１】
被検体の関心領域から発生した放射線に基づいて、前記関心領域における前記放射線の発生位置を示す三次元ボリュームデータを生成する三次元データ生成手段と、
前記被検体における所定の軸を中心軸として設定する中心軸設定手段と、
前記三次元ボリュームデータの三次元的位置を、前記中心軸に対する前記関心領域の三次元的位置に設定する位置合わせ手段と、
前記位置合わせ手段によって三次元的位置が設定された前記三次元ボリュームデータに対して、前記中心軸に直交する一つ以上の投影方向に最大画素値を投影することにより、最大値投影画像であるＭＩＰ画像を生成するＭＩＰ画像生成手段と、
前記三次元ボリュームデータの所定のスライス面における断層画像を生成する断層画像生成手段と、
前記ＭＩＰ画像および前記断層画像を表示する画像表示手段とを備える断層画像表示装置。
【請求項２】
請求項１に記載の断層画像表示装置において、
前記位置合わせ手段によって三次元的位置が設定された複数の前記三次元ボリュームデータを統合し、単一の統合三次元ボリュームデータに変換する三次元データ統合手段を備え、
前記ＭＩＰ画像生成手段は、前記三次元データ統合手段によって変換された前記統合三次元ボリュームデータに対して、前記中心軸に直交する一つ以上の投影方向に前記ＭＩＰ画像を生成する断層画像表示装置。
【請求項３】
請求項１に記載の断層画像表示装置において、
複数の前記関心領域についてそれぞれ生成された前記ＭＩＰ画像のうち、同一の投影方向から投影された前記ＭＩＰ画像同士を、前記中心軸の位置を基準として重ね合わせて統合ＭＩＰ画像を生成するＭＩＰ画像統合手段を備え、
前記画像表示手段は前記統合ＭＩＰ画像を表示する断層画像表示装置。
【請求項４】
請求項１ないし請求項３のいずれかに記載の断層画像表示装置において、
前記ＭＩＰ画像生成手段が生成した前記ＭＩＰ画像の各々に対して、前記ＭＩＰ画像と同一の投影方向から前記被検体の全部または一部を投影した像を、前記中心軸の位置を基準として重ね合わせて重畳画像を生成する重畳画像生成手段を備え、
前記画像表示手段は重畳画像を表示する断層画像表示装置。
【請求項５】
請求項１ないし請求項３のいずれかに記載の断層画像表示装置において、
前記中心軸は前記被検体の正中線である断層画像表示装置。
【発明の詳細な説明】
【技術分野】
【０００１】
本発明は、被検体に投与された放射線薬剤の三次元分布を示す画像データに基づいて、医師の診断に適する画像を生成し、表示する画像処理を行う技術に関する。
【背景技術】
【０００２】
医療分野において、被検体に投与されて関心部位に局在した放射線薬剤から放出された放射線（例えばγ線）を検出し、被検体の関心領域における放射線薬剤分布の断層画像を得る核医学診断装置が使用されている。核医学診断装置には、主なものとして、ＰＥＴ（Ｐｏｓｉｔｒｏｎ  Ｅｍｉｓｓｉｏｎ  Ｔｏｍｏｇｒａｐｈｙ）装置やＳＰＥＣＴ（Ｓｉｎｇｌｅ  Ｐｈｏｔｏｎ  Ｅｍｉｓｓｉｏｎ  Ｃｏｍｐｕｔｅｄ  Ｔｏｍｏｇｒａｐｈｙ）装置などが知られている。このような核医学診断装置では放射線検出データを用いて、放射性薬剤の濃度分布を示す三次元ボリュームデータを再構成する。そして三次元ボリュームデータに基づいて所定のスライス断面における断層画像を表示し、診断を行う。【０００３】
従来の核医学診断装置で得られる断層画像全体を俯瞰するための表示方法として、最大値投影法（ＭＩＰ：Ｍａｘｉｍｕｍ  Ｉｎｔｅｎｓｉｔｙ  Ｐｒｏｊｅｃｔｉｏｎ）が広く用いられている。ＭＩＰによって投影された最大値投影画像（ＭＩＰ画像）は、対象物を投影する際に、投影経路における最大の画素値を輝度値とする画像である。そして所定の方向を中心軸とする複数の方向から投影した複数のＭＩＰ画像を作成し、断層画像表示装置を用いて、これら複数のＭＩＰ画像を例えば回転動画のように表示する（例えば、特許文献１参照）。なお、一連のＭＩＰ画像を生成する際に中心軸となる所定の方向を以下「ＭＩＰ軸」とする。【０００４】
一連のＭＩＰ画像を生成する場合、図１４（ａ）に示すように、関心領域Ｒの三次元ボリュームデータに対して、例えばｘ方向と平行な投影方向Ｓ１についてＭＩＰ画像Ａ１を取得し、ｙ方向と平行な投影方向Ｓ２についてＭＩＰ画像Ａ２を取得する。異なる投影方向について得られたＭＩＰ画像Ａ１およびＡ２を参照することにより、操作者は関心領域Ｒにおいて、放射性薬剤が集積する部位Ｐの大凡の位置を直感的に知ることができる。【０００５】
このようにＭＩＰによる画像表示方法は、断層画像を精査診断する前に大凡の情報を確認する上で非常に有用である。図１４（ａ）では、関心領域Ｒの中心点を通り、ｚ方向に平行な軸Ｓ３をＭＩＰ軸としてＭＩＰ画像が生成される。【０００６】
核医学診断において、図１４（ｂ）に示すように関心領域が被検体Ｍの全身、または正中線上にある範囲Ｒ１である場合、被検体Ｍの正中線Ｌ１をＭＩＰ軸として一連のＭＩＰ画像群を生成する。その一方で、関心領域が符号Ｒ２で示す肩部である場合など、正中線Ｌ１が関心領域の範囲外となることがある。【０００７】
そこで従来では関心領域の移動に従って、ＭＩＰ軸を関心領域の中心線へ移動させつつ、一連のＭＩＰ画像を生成する手法（Ｓｌｉｄｉｎｇ  Ｔｈｉｎ  Ｓｌａｂ  ＭＩＰ法：以下「Ｓｌｉｄｉｎｇ法」と省略する）が用いられている（例えば、非特許文献１参照）。Ｓｌｉｄｉｎｇ法では関心領域が範囲Ｒ２である場合、ＭＩＰ軸を正中線Ｌ１から範囲Ｒ２の中心線Ｌ２へ移動させてＭＩＰ画像の投影を行う。このような手法により、正中線から離れた局所部位について、各々の投影位置のブレが少ない一連のＭＩＰ画像を取得できる。
【先行技術文献】
【特許文献】
【０００８】
【特許文献１】特開２００７−１６３１５４号公報
【非特許文献】
【０００９】
【非特許文献１】片平和博著  「快適３Ｄ読影法と実現可能の為のシステム考案  −進化するＳｌｉｄｉｎｇ  ｔｈｉｎ  ｓｌａｂ  ＭＩＰ法の有用性−」ＩＮＮＥＲＶＩＳＩＯＮ（２４−３）、２００９、ｐ．１１８−１１９
【発明の概要】
【発明が解決しようとする課題】
【００１０】
このようなＳｌｉｄｉｎｇ法を用いる従来の断層画像表示装置では、血管領域を追跡するような、正中線から離れた特定の部位のみを局所的に診断する場合については有用である。しかし被検体の全身画像情報を取得している状態で、さらに特定部位についての高解像度の画像情報を得るべくＭＩＰ画像を取得する場合、従来の装置では有用な情報を得ることが困難である。すなわち特定部位について得られた高解像度のＭＩＰ画像が、被検体の全体像に対して付加している詳細情報を知ることは非常に困難となる。【００１１】
従来の問題点について図１４（ｂ）を用いて具体的に説明する。一例として特定部位として範囲Ｒ２についてＭＩＰ画像を取得する場合、ＭＩＰ軸はＲ２の中心点を通るＬ２となる。一方、被検体の全身についてのＭＩＰ軸は被検体Ｍの正中線Ｌ１であるので、被検体の全身像と特定部位のＭＩＰ画像とは、ＭＩＰ軸が異なる。ＭＩＰ軸が異なる場合、全身と特定部位の各々について得られたＭＩＰ画像群同士は、相対的な位置関係が一致しない。従って、特定部位Ｒ２のＭＩＰ画像群と全身のＭＩＰ画像群を比較検討しても、ＭＩＰ画像に映る放射線薬剤の像が被検体全身のどの部位に相当するかについての情報を知ることができない。【００１２】
さらに分離した２以上の特定部位について一連のＭＩＰ画像を取得する場合、各ＭＩＰ画像群はＭＩＰ軸の位置がそれぞれ異なる。従って、それぞれの特定部位について得られた放射線薬剤の位置情報を包括的に診断することができない。一例として、左胸の乳房と右胸の乳房とをそれぞれ特定部位としてＭＩＰ画像群を取得した場合、左胸のＭＩＰ画像群はいすれも左胸を画像の中心に据えた画像となる。一方で、右胸のＭＩＰ画像群はいずれも右胸を画像の中心に据えた画像となる。【００１３】
左胸のＭＩＰ画像群と右胸のＭＩＰ画像群とを個別に診断することは可能である。しかし左胸のＭＩＰ画像群と右胸のＭＩＰ画像群とは画像の中心に映る部位が異なるので、各ＭＩＰ画像群を用いて、乳房の各々を包括的に診断することができない。また、ＭＩＰ画像の中心に映る像は当該特定部位の中心であるので、左胸および右胸の各々について得られた放射線薬剤の位置情報を全身または胸部全体と対応付け、俯瞰的に診断することが困難である。【００１４】
本発明は、このような事情に鑑みてなされたものであって、より多種多様な関心部位について、診断に適する画像の生成および表示を可能とする断層画像表示装置を提供することを目的とする。
【課題を解決するための手段】
【００１５】
本発明は、このような目的を達成するために、次のような構成をとる。
すなわち、本発明に係る断層画像表示装置は、被検体の関心領域から発生した放射線に基づいて、前記関心領域における前記放射線の発生位置を示す三次元ボリュームデータを生成する三次元データ生成手段と、前記被検体における所定の軸を中心軸として設定する中心軸設定手段と、前記三次元ボリュームデータの三次元的位置を、前記中心軸に対する前記関心領域の三次元的位置に設定する位置合わせ手段と、前記位置合わせ手段によって三次元的位置が設定された前記三次元ボリュームデータに対して、前記中心軸に直交する一つ以上の投影方向に最大画素値を投影することにより、最大値投影画像であるＭＩＰ画像を生成するＭＩＰ画像生成手段と、前記三次元ボリュームデータの所定のスライス面における断層画像を生成する断層画像生成手段と、前記ＭＩＰ画像および前記断層画像を表示する画像表示手段とを備えるものである。【００１６】
本発明に係る断層画像表示装置は、被検体における所定の軸を中心軸として設定する中心軸設定手段と、三次元ボリュームデータの三次元的位置を、前記中心軸に対する前記関心領域の三次元的位置に設定する位置合わせ手段とを備えている。この場合、位置合わせ手段により設定される三次元ボリュームデータの位置および中心軸の位置関係は、関心領域および中心軸の位置関係と一致する。【００１７】
ＭＩＰ画像生成手段は、位置合わせ手段によって三次元的位置が設定された三次元ボリュームデータに対して、中心軸に直交する一つ以上の投影方向に最大画素値を投影することにより、最大値投影画像であるＭＩＰ画像を生成する。ＭＩＰ画像の投影方向はいずれも中心軸と直交するので、中心軸はＭＩＰ画像の中心点を通る軸となる。またＭＩＰ画像の各々において、中心軸に対する関心領域の位置に対応する位置に、三次元ボリュームデータの投影像が映し出される。そのため、操作者は関心領域について取得されるＭＩＰ画像の各々を俯瞰的に観察し、関心領域における放射線の発生位置と被検体の所定の軸との位置関係を容易に解析できる。従って、本発明に係る装置ではＭＩＰ画像を用いてより多様な診断を実行することができる。【００１８】
また、上述した発明において、前記位置合わせ手段によって三次元的位置が設定された複数の前記三次元ボリュームデータを統合し、単一の統合三次元ボリュームデータに変換する三次元データ統合手段を備え、前記ＭＩＰ画像生成手段は、前記三次元データ統合手段によって変換された前記統合三次元ボリュームデータに対して、前記中心軸に直交する一つ以上の投影方向に前記ＭＩＰ画像を生成することが好ましい。【００１９】
本発明に係る断層画像表示装置によれば、位置合わせ手段によって三次元的位置が設定された複数の三次元ボリュームデータを統合し、単一の統合三次元ボリュームデータに変換する三次元データ統合手段を備えている。そしてＭＩＰ画像生成手段は、三次元データ統合手段によって変換された統合三次元ボリュームデータに対して、中心軸に直交する一つ以上の投影方向にＭＩＰ画像を生成する。【００２０】
三次元ボリュームデータの各々は単一の統合三次元ボリュームデータに変換され、統合三次元ボリュームデータに基づいてＭＩＰ画像が生成される。ＭＩＰ画像の投影方向はいずれも中心軸と直交するので、ＭＩＰ画像の各々において中心軸はＭＩＰ画像の中心点を通る軸となる。そしてＭＩＰ画像の各々には、各関心領域に係る三次元ボリュームデータの投影像が、中心軸に対する各関心領域の位置にそれぞれ映し出される。すなわち単一のＭＩＰ画像に複数の関心領域の投影像が、中心軸と対応づけた位置にそれぞれ映る。【００２１】
この場合、単一のＭＩＰ画像に基づいて複数の関心領域を俯瞰的に観察し、診断を行うことができる。従って、ＭＩＰ画像を用いて複数の部位を診断する場合に操作者が受ける負担を軽減することができる。また、ＭＩＰ画像は予め統合された単一の三次元ボリュームデータに対して生成される。そのため診断する関心領域の数が多い場合であっても、ＭＩＰ画像を生成する際に必要とする計算の複雑化を回避できる。従って、診断のワークフローの低下を好適に回避できる。【００２２】
また、上述した発明において、複数の前記関心領域についてそれぞれ生成された前記ＭＩＰ画像のうち、同一の投影方向から投影された前記ＭＩＰ画像同士を、前記中心軸の位置を基準として重ね合わせて統合ＭＩＰ画像を生成するＭＩＰ画像統合手段を備え、前記画像表示手段は前記統合ＭＩＰ画像を表示することが好ましい。【００２３】
本発明に係る断層画像表示装置によれば、ＭＩＰ画像統合手段は複数の関心領域についてそれぞれ生成されたＭＩＰ画像のうち、同一の投影方向から投影されたＭＩＰ画像同士を、中心軸の位置を基準として重ね合わせて統合ＭＩＰ画像を生成する。ＭＩＰ画像の各々において、中心軸は画像の中心点を通る軸であり、関心領域に係る三次元ボリュームデータの投影像が、中心軸に対する関心領域の位置にそれぞれ映し出される。そのため中心軸を基準に各々のＭＩＰ画像を重ね合わせることにより、統合ＭＩＰ画像において、複数の関心領域における最大値投影像が、中心軸と対応する位置にそれぞれ映る。【００２４】
この場合、単一のＭＩＰ画像に基づいて複数の関心領域を俯瞰的に観察し、診断を行うことができる。従って、ＭＩＰ画像を用いて複数の部位を診断する場合に操作者が受ける負担を軽減できる。また、統合ＭＩＰ画像は三次元ボリュームデータの統合ではなく、二次元画像であるＭＩＰ画像同士を統合させることによって生成される。そのため、複数の関心領域が中心軸と対応する位置に映るＭＩＰ画像を生成するための計算がより単純となるので、診断に要する時間をより短縮できる。従って、診断のワークフローをより向上させることができる。【００２５】
また、上述した発明において、前記ＭＩＰ画像生成手段が生成した前記ＭＩＰ画像の各々に対して、前記ＭＩＰ画像と同一の投影方向から前記被検体の全部または一部を投影した像を、前記中心軸の位置を基準として重ね合わせて重畳画像を生成する重畳画像生成手段を備え、前記画像表示手段は重畳画像を表示することが好ましい。【００２６】
本発明に係る断層画像表示装置によれば、重畳画像生成手段はＭＩＰ画像の各々に対して、ＭＩＰ画像と同一の投影方向から被検体の全部または一部を投影した像を、中心軸の位置を基準として重ね合わせて重畳画像を生成する。中心軸の位置を基準として重ね合わせを行うことにより、被検体の全部または一部を投影した像とＭＩＰ画像の関心領域との位置関係は、被検体の身体における両者の位置関係と一致する。【００２７】
そのためＭＩＰ画像に重ね合わされる被検体の像を参照することにより、中心軸に対する関心領域の位置に対応する位置に、三次元ボリュームデータの投影像が映し出される。操作者は関心領域について取得される重畳画像の各々を俯瞰的に観察し、関心領域における放射線の発生位置と被検体の身体との位置関係をより正確かつ容易に解析できる。従って、本発明に係る装置ではＭＩＰ画像を用いてより多様な診断を実行することができる。【００２８】
また、上述した発明において、前記中心軸は前記被検体の正中線であることが好ましい。【００２９】
本発明に係る断層画像表示装置によれば、中心軸設定手段は被検体の正中線を中心線として設定する。この場合、ＭＩＰ画像の各々において、正中線が画像の中心を通る軸であり、関心領域に係る三次元ボリュームデータの投影像は、正中線に対する関心領域の位置にそれぞれ映し出される。そのため、操作者は関心領域の投影像から得られる情報を、被検体の全身などを例とする、より解析に適する画像と対応づけて診断できる。
【発明の効果】
【００３０】
本発明に係る断層画像表示装置は、被検体における所定の軸を中心軸として設定する中心軸設定手段と、三次元ボリュームデータの三次元的位置を、前記中心軸に対する前記関心領域の三次元的位置に設定する位置合わせ手段とを備えている。この場合、位置合わせ手段により設定される三次元ボリュームデータの位置および中心軸の位置関係は、関心領域および中心軸の位置関係と一致する。【００３１】
ＭＩＰ画像生成手段は、位置合わせ手段によって三次元的位置が設定された三次元ボリュームデータに対して、中心軸に直交する一つ以上の投影方向に最大画素値を投影することにより、最大値投影画像であるＭＩＰ画像を生成する。ＭＩＰ画像の投影方向はいずれも中心軸と直交するので、中心軸はＭＩＰ画像の中心点を通る軸となる。またＭＩＰ画像の各々において、中心軸に対する関心領域の位置に対応する位置に、三次元ボリュームデータの投影像が映し出される。そのため、操作者は関心領域について取得されるＭＩＰ画像の各々を俯瞰的に観察し、関心領域における放射線の発生位置と被検体の所定の軸との位置関係を容易に解析できる。従って、本発明に係る装置ではＭＩＰ画像を用いてより多様な診断を実行することができる。
【図面の簡単な説明】
【００３２】
【図１】実施例１に係る断層画像表示装置を備えるＰＥＴ装置の構成を説明する概略図である。（ａ）はｘｙ平面における縦断面図であり、（ｂ）はｘｚ平面における縦断面図であり、（ｃ）は放射線検出器の積層構造を説明する俯瞰図である。
【図２】実施例１に係る断層画像表示装置を備えるＰＥＴ装置の構成を説明する機能ブロック図である。
【図３】各実施例に係る断層画像表示装置を備えるＰＥＴ装置の動作の工程を説明するフローチャートである。（ａ）は実施例１のフローチャートであり、（ｂ）は実施例２のフローチャートである。
【図４】実施例１において生成される三次元ボリュームデータの座標と範囲とを示す概略図である。
【図５】実施例１に係るステップＳ３において、各三次元ボリュームデータと上半身像との位置関係を示す概略図である。
【図６】実施例１に係るステップＳ４において、三次元ボリュームデータを統合する範囲を示す概略図である。
【図７】実施例１に係るステップＳ６におけるＭＩＰ画像の投影方向を説明する図である。（ａ）は各投影方向とＭＩＰ軸との位置関係を示す図であり、（ｂ）は統合された三次元ボリュームデータ、投影されるＭＩＰ画像、および各投影方向の位置関係を示す図である。
【図８】実施例１に係るステップＳ６において生成されるＭＩＰ画像の各々を示す図である。
【図９】実施例１に係るステップＳ７において生成される重畳画像の各々を示す図である。
【図１０】実施例１に係るステップＳ８の工程を説明する図である。（ａ）は三次元ボリュームデータに対するスライス面を示す図であり、（ｂ）は当該スライス面における断層画像を示す図である。
【図１１】従来例と実施例とを比較する図である。（ａ）は従来例における、三次元ボリュームデータとＭＩＰ画像の投影方向との関係を示す図であり、（ｂ）は従来例において生成されるＭＩＰ画像に映る像を示す概略図であり、（ｃ）は実施例１において生成されるＭＩＰ画像に映る像を示す概略図である。
【図１２】実施例２に係る断層画像表示装置を備えるＰＥＴ装置の構成を説明する機能ブロック図である。
【図１３】実施例２に係るステップＳ６Ａにおいて、統合されるＭＩＰ画像を示す図である。
【図１４】従来例における問題点を示す図である。（ａ）は従来例における三次元ボリュームデータとＭＩＰ画像との位置関係を示す概略図であり、（ｂ）は関心領域とＭＩＰ軸との位置関係を示す図である。
【発明を実施するための形態】
【実施例１】
【００３３】
以下、図面を参照してこの発明の実施例１を説明する。図１（ａ）は、実施例１に係る断層画像表示装置を備える核医学診断装置のｘｙ平面における縦断面図である。図１（ｂ）は、実施例１に係る断層画像表示装置を備える核医学診断装置のｘｚ平面における縦断面図である。実施例１では核医学診断装置として、乳がん診断に用いられる乳房専用ＰＥＴ装置を例にとって説明する。また放射線の例としてγ線を用いて説明する。【００３４】
＜全体構成の説明＞
実施例１に係る断層画像表示装置を備えるＰＥＴ装置１について説明する。ＰＥＴ装置１は図１（ａ）および図１（ｂ）に示すように、被検体の乳房Ｂを導入させる導入孔３が設けられたガントリ５を備えている。ガントリ５の内部には、導入孔３を囲むようにリング状に配列された複数の放射線検出器７が設けられている。導入孔３はｚ方向（乳房Ｂの導入方向）に伸びた円筒形の構成を有している。なおｘ方向は、立位姿勢または座位姿勢をとる被検体の体軸方向である。ｙ方向はｘ方向およびｚ方向の各々に直交する方向であり、被検体の左右方向に相当する。【００３５】
放射線検出器７は図１（ｃ）に示すように、シンチレータブロック９と、ライトガイド１１と、光検出器１３とがｐ方向へ順に積層された構成を有している。ｐ方向は導入孔３の中心Ｐｏへ向かう方向であり、光検出器１３よりシンチレータブロック９の方が中心Ｐｏに近くなるように放射線検出器７の各々は配列される。【００３６】
シンチレータブロック９は、直方体のシンチレータ結晶９ａが二次元的に配列された構造を有しており、被検体から放出されたγ線を吸収してシンチレータ光を発光する。シンチレータ結晶３ａを構成する材料としては、例えばＬＹＳＯ、ＬＳＯ、またはＬＧＳＯなどの結晶が用いられる。【００３７】
ライトガイド１１はシンチレータブロック９において発光されるシンチレータ光を光検出器１３に伝送する。光検出器１３には光電変換素子が設けられており、シンチレータ光を検出して電気信号（γ線検出信号）に変換する。断層画像表示装置１５は光検出器１３が出力するγ線検出信号に基づいて各種処理を行い、乳房Ｂにおける放射線薬剤の分布を示す各種画像を生成・表示する。【００３８】
断層画像表示装置１５は図２に示すように、同時計数部１７と、再構成部１９と、ＭＩＰ軸設定部２０と、位置情報算出部２１と、三次元データ統合部２３と、ＭＩＰ画像生成部２７と、重畳画像生成部２９と、断層画像生成部３１とを備えている。同時計数部１７は光検出器１３の後段に設けられており、光検出器１３から出力されるγ線検出信号について適正なデータか否かを判定する。【００３９】
被検体Ｍに放射線薬剤を投与すると放射性薬剤は関心部位に蓄積され、蓄積された薬剤から陽電子が放出される。放出された陽電子は電子と対消滅を起こし、互いに正反対の運動量を有する一対の消滅γ線対を放出する。同時計数部１７は、中心点Ｐｏを挟んで対向する一対のシンチレータブロック９に同時に入射した一対のγ線について、被検体内の放射線薬剤に起因する消滅γ線対であると判断する。そして同時計数部１７は、消滅γ線対に基づくγ線検出信号について適正なデータであると判定し、適正なデータと判定したγ線検出信号を再構成部１９へ送信する。なお、一対のシンチレータブロック９の一方のみに入射したγ線について、同時計数部１７はノイズと判断し、ノイズと判断されたγ線に基づくγ線検出信号を棄却する。【００４０】
再構成部１９は適正なデータとして同時計数部１７が出力したγ線検出信号を再構成処理して三次元ボリュームデータを生成する。三次元ボリュームデータは被検体に投与された放射線薬剤の三次元分布を示すデータであり、被検体の関心領域における放射線の発生位置を示す。ＭＩＰ軸設定部２０は操作者が指定する、被検体における所定の軸をＭＩＰ軸として設定する。ＭＩＰ軸とは、三次元ボリュームデータに対してＭＩＰ画像を投影する方向の各々が直交する軸である。再構成部１９は本発明における三次元データ生成手段に相当する。ＭＩＰ軸設定部２０は本発明における中心軸設定手段に相当する。ＭＩＰ軸は本発明における中心軸に相当する。【００４１】
位置情報算出部２１は再構成部１９およびＭＩＰ軸設定部２０の各々の後段に設けられており、三次元ボリュームデータの各々について、ＭＩＰ軸上の所定の位置を基準とする、関心領域の位置情報を算出する。また、位置情報算出部２１は算出された位置情報に基づいて、それぞれ異なる関心領域から得られた三次元ボリュームデータの各々の位置合わせを行う。位置情報算出部２１は本発明における位置合わせ手段に相当する。【００４２】
三次元データ統合部２３は位置情報算出部２１の後段に設けられており、位置合わせが行われた三次元ボリュームデータの各々を、各々の三次元ボリュームデータの全てを包含する、単一の三次元ボリュームデータとして統合する。ＭＩＰ画像生成部２７は三次元データ統合部２３の後段に設けられており、三次元データ統合部２３が統合した三次元ボリュームデータに基づいて、最大値投影画像であるＭＩＰ画像を生成する。三次元データ統合部２３は、本発明における三次元データ統合手段に相当する。ＭＩＰ画像生成部２７は本発明におけるＭＩＰ画像生成手段に相当する。【００４３】
重畳画像生成部２９は、ＭＩＰ画像生成部２７の後段に設けられている。重畳画像生成部２９は一連のＭＩＰ画像の各々に対して比較の基準となる画像（例えば被検体の全身像）を、ＭＩＰ軸の位置を基準として重ね合わせて一連の重畳画像を生成する。断層画像生成部３１は、再構成部１９が生成する三次元ボリュームデータに基づいて、操作者が指定するスライス面における断層画像を生成する。重畳画像生成部２９は本発明における重畳画像生成手段に相当し、断層画像生成部３１は本発明における断層画像生成手段に相当する。【００４４】
断層画像表示装置１５は、さらに入力部３３と、記憶部３５と、モニタ３７と、主制御部３９とを備えている。入力部３３は操作者の指示を入力するものであり、その例として、キーボード入力式のパネルやタッチ入力式のパネルなどが挙げられる。記憶部３５は、三次元ボリュームデータや、断層画像などの情報を記憶する。また記憶部３５には予め、ＭＩＰ画像の各々と重畳させる画像や、三次元ボリュームデータの位置合わせの基準となる画像が記憶されている。ＭＩＰ画像と重畳させる画像、および位置合わせの基準となる画像の例としては、被検体の全身像や胸部全体像などが挙げられる。【００４５】
モニタ３７は三次元ボリュームデータ、断層画像、および重畳画像などの各種画像を表示する。主制御部３９は中央演算処理装置（ＣＰＵ）などで構成されており、断層画像表示装置１５に設けられている同時計数部１７などの構成の各々を統括制御する。モニタ３７は本発明における画像表示手段に相当する。【００４６】
＜動作の説明＞
次に、実施例１に係る断層画像表示装置を備えるＰＥＴ装置１の動作について説明する。図３は実施例１に係る断層画像表示装置を備えるＰＥＴ装置の動作の工程を説明するフローチャートである。なお実施例１では左右の乳房の各々を関心領域としてそれぞれ画像データを取得するものとする。  【００４７】
ステップＳ１（ＭＩＰ軸の設定）
ＰＥＴ装置を操作するにあたり、まずＭＩＰ軸の設定を行う。操作者は入力部３３を操作して、被検体における所定の軸をＭＩＰ軸として設定する。ＭＩＰ軸とは、三次元ボリュームデータに対してＭＩＰ画像を投影する方向の各々が直交する軸である。実施例１では被検体の正中線をＭＩＰ軸として設定する。関心領域のＭＩＰ画像から得られる情報を、被検体の全身像などの診断に適する画像と対応づけて解析できるので、正中線をＭＩＰ軸として設定することがより好ましい。設定されたＭＩＰ軸の情報は、位置情報算出部２１へ送信される。【００４８】
ステップＳ２（第１の三次元ボリュームデータの生成）
次に第１の三次元ボリュームデータとして、左胸の乳房についての三次元ボリュームデータを生成する。すなわち被検体に陽電子放出核種で標識された放射性薬剤を投与する。投与後所定の時間が経過した時点で、図１（ｂ）に示すように被検体の左胸の乳房Ｂを導入孔３に挿入させる。操作者は入力部３３を操作して消滅γ線対を検出する指示と、関心部位は左胸の乳房である内容の情報を入力する。放射線検出器７の各々は入力される指示に従って、光検出器１３から同時計数部１７へγ線検出信号を送信させる。なおγ線検出信号の各々には、γ線を検出した時刻の情報が図示しないクロックにより付与されている。【００４９】
同時計数部１７はγ線検出信号に付与される時刻情報に基づいて各γ線検出信号を解析する。消滅γ線対に基づくγ線検出信号であると判断された場合、同時計数部１７はγ線検出信号を適正なデータであると判定する。同時計数部１７は、導入孔３の中心点Ｐｏを挟んで対向する一対のシンチレータブロック９に同時に入射した一対のγ線について、被検体内の放射線薬剤に起因する消滅γ線対であると判断する。適正なデータと判定されたγ線検出信号は同時計数部１７から再構成部１９へ送信され、それ以外のγ線検出信号はノイズとして破棄される。【００５０】
再構成部１９は適正なデータとして送信されたγ線検出信号に基づいて、乳房Ｂの内部の位置と、消滅γ線対の発生位置とが関連した三次元ボリュームデータを再構成する。消滅γ線対の発生位置とはすなわち放射線薬剤の分布位置であるので、再構成される三次元ボリュームデータは乳房Ｂの内部における放射線薬剤の分布位置を示す画像データである。
なお、左胸の乳房について再構成される三次元ボリュームデータを以下、三次元データＬＢとする。三次元データＬＢは位置情報算出部２１および断層画像生成部３１の各々へ送信される。【００５１】
位置情報算出部２１は、ＭＩＰ軸の位置を基準とする三次元データＬＢの座標位置を算出する。医用画像では、ＤＩＣＯＭ（Ｄｉｇｉｔａｌ  Ｉｍａｇｉｎｇ  ａｎｄ  Ｃｏｍｍｕｎｉｃａｔｉｏｎｓ  ｉｎ  Ｍｅｄｉｃｉｎｅ）などの規格に基づいて、画像データの特定の位置を基準点として、画像データの被検体における座標位置と画像データの撮影範囲の大きさとが算出される。実施例１のように三次元ボリュームデータを取得する場合、三次元ボリュームデータの左上末端の手前側が基準点として定められる。【００５２】
一般的に、人体の全身を基準とする左胸の乳房の相対的な位置は、いずれの患者も略同じである。そのため、例えば被検体の身長の情報を得ることにより、位置情報算出部２１はＭＩＰ軸である正中線ＭＬ上の所定の部位を標準位置とし、標準位置（実施例１では頭頂部とする）から三次元データＬＢの基準点までの距離の情報を算出できる。なお図４に示すように、頭頂部である基準位置ＲＥＦの座標を（０，０，０）とした場合に、三次元データＬＢの基準点ＬＢＯについて算出される座標を（ＬＢｘ，ＬＢｙ，ＬＢｚ）とする。またＰＥＴ装置の規格に応じて撮影範囲は定められるので、三次元データＬＢについて、ｘ方向の長さＢｘ、ｙ方向の長さＢｙ、およびｚ方向の長さＢｚが算出される。【００５３】
ステップＳ３（第２の三次元ボリュームデータの生成）
第１のボリュームデータとして三次元データＬＢを生成した後、第２のボリュームデータとして、右胸の乳房についての三次元ボリュームデータを生成する。ステップＳ３における工程はステップＳ２と同様である。すなわち操作者は、被検体の右胸の乳房Ｂを導入孔３に挿入した状態で入力部３３を操作し、消滅γ線対を検出する指示と、関心部位は右胸の乳房である内容の情報とを入力する。【００５４】
同時計数部１７は適正データと判定したγ線検出信号を再構成部１９へ送信する。再構成部１９は、乳房Ｂの内部の位置と消滅γ線対の発生位置とが関連した三次元ボリュームデータを再構成する。なお右胸の乳房について再構成される三次元ボリュームデータを以下、三次元データＲＢとする。三次元データＲＢは位置情報算出部２１へ送信され、位置情報算出部２１は三次元データＲＢの座標位置の情報を算出する。三次元データＲＢの基準点ＲＢＯについて算出される座標を（ＲＢｘ，ＲＢｙ，ＲＢｚ）とする。ｘ方向、ｙ方向、およびｚ方向の各々における三次元データＲＢの長さは、三次元データＬＢと同様である。【００５５】
ステップＳ４（三次元ボリュームデータの位置合わせ）
三次元データＬＢおよびＲＢの各々について座標位置が算出された後、位置情報算出部２１は、三次元ボリュームデータの各々の位置合わせを行う。図５は仮想的な全身像Ｃにおける、三次元データＬＢおよびＲＢの相対的な位置を模式的に示している。なお図５ではｘ方向へ上に向かう方向を被検体の頭側の方向とし、ｚ方向へ手前に向かう方向を被検体の腹側（前側）の方向とする。正中線ＭＬは標準位置である頭頂部ＲＥＦを通り、被検体の体軸方向（ｘ方向）に平行な線である。なお診断の目的に応じて、全身像Ｃの代わりに、上半身像や胸部全体像などＭＩＰ軸をアキシャル面の中心線とする像を用いてもよい。【００５６】
位置情報算出部２１は仮想的な全身像Ｃにおいて、三次元データＬＢの位置と三次元データＲＢの位置とを定める。三次元データＬＢは被検体の左胸の乳房について得られるボリュームデータであるので、全身像Ｃにおいて正面に向かって右側手前に位置する。そして三次元データＬＢは全身像Ｃにおいて、正面に向かって左側手前に位置する。【００５７】
位置情報算出部２１は、ＭＩＰ軸である正中線ＭＬと、各々の関心領域との位置関係に一致するように、三次元データＬＢおよびＲＢの三次元的位置を設定する。具体的には正中線ＭＬ上における基準位置ＲＥＦ、基準点ＬＢＯ、および基準点ＲＢＯの各々の座標に基づいて、全身像Ｃにおける、三次元データＬＢの位置および三次元データＲＢの位置を設定する。位置合わせが行われた三次元データの各々は、三次元データ統合部２３へ送信される。【００５８】
ステップＳ５（三次元ボリュームデータの統合）
三次元ボリュームデータの位置合わせが行われた後、三次元ボリュームデータの統合が行われる。すなわち三次元データ統合部２３は、離れた位置に設定されている複数の三次元ボリュームデータ（三次元データＬＢおよびＲＢ）を統合し、単一の三次元ボリュームデータに変換する。統合によって生成される単一の三次元ボリュームデータを三次元データＡＬＢとする。三次元データ統合部２３によって生成される三次元データＡＬＢは、本発明における統合三次元ボリュームデータに相当する。【００５９】
三次元データＡＬＢの範囲は、統合の対象となる三次元ボリュームデータの全てを包含する範囲である。従って図６に示すように、三次元データＡＬＢの範囲は三次元データＬＢおよびＲＢを全て包含する、太い一点鎖線で囲まれる単一の直方体として示される。一般的に左右の乳房の各々について、ｘ方向およびｚ方向の座標はいずれも略同じである。そのため三次元データＡＬＢについて、基準点の座標は（ＲＢｘ，ＲＢｙ，ＲＢｚ）であり、ｘ方向の長さはＢｘ、ｙ方向の長さは（ＲＢｙ−ＬＢｙ＋Ｂｙ）、ｚ方向の長さはＢｚとなる。三次元データＡＬＢの情報は、ＭＩＰ画像生成部２７へ送信される。【００６０】
ステップＳ６（ＭＩＰ画像の生成）
ＭＩＰ画像生成部２７は三次元データＡＬＢに対して、単一または複数の投影方向Ｓからそれぞれ投影処理を行い、ＭＩＰ画像Ａを生成する。図７（ａ）に示すように、投影方向Ｓの各々はＭＩＰ軸である正中線ＭＬと直交する。ＭＩＰ軸の直交面ＡＸ（実施例１ではアキシャル面）上に位置する各投影方向の間の角度θ、および生成するＭＩＰ画像の枚数（投影方向の数）は撮影条件に応じて適宜変更してよい。一例としては、正中線ＭＬに対する投影方向の角度を１０°ずつ変えながら、１８０°の範囲にわたって合計１８枚のＭＩＰ画像を生成する。この場合、直交面ＡＸにおける投影方向Ｓの角度が１０°ずつ変更される。生成するＭＩＰ画像の枚数は、１０〜２０枚程度がより好ましい。【００６１】
実施例１では説明の便宜上、投影方向の角度を９０°変え、２方向からＭＩＰ画像を生成するものとする。すなわち図７（ｂ）に示すように正中線ＭＬと直交し、ｙ方向に平行な投影方向Ｓ１と、正中線ＭＬと直交し、ｚ方向に平行な投影方向Ｓ２との２方向からＭＩＰ画像を生成する。ＭＩＰ画像生成部２７は三次元データＡＬＢに対して投影方向Ｓ１からＭＩＰ画像Ａ１を生成し、投影方向Ｓ２からＭＩＰ画像Ａ２を生成する。なお三次元データＡＬＢは図７において、灰色を付して示している。【００６２】
ＭＩＰ画像Ａ１には三次元データＬＢの投影像と三次元データＲＢの投影像とが重なって映り、ＭＩＰ画像Ａ２には三次元データＬＢの投影像と三次元データＲＢの投影像とが並列して映る。そしてＭＩＰ画像Ａの各々には、左胸の乳房における放射線薬剤の集積点Ｐ１と、右胸の乳房における放射線薬剤の集積点Ｐ２が映る。生成されたＭＩＰ画像の各々は、重畳画像生成部２９へ送信される。【００６３】
ステップＳ７（重畳画像の生成）
重畳画像生成部２９はＭＩＰ画像の各々に対して、比較画像を重畳させる画像処理を行うことによって重畳画像Ｔを生成する。比較画像は被検体（または標準サイズの人体）の全身像や上半身全体の像を例とする、ＭＩＰ軸をアキシャル面の中心線とする像が用いられる。実施例１では図９に示すように、比較画像Ｆとして、被検体の上半身の像を用いることとする。図９に示すように、ＭＩＰ画像Ａ１に基づいて生成される重畳画像Ｔを重畳画像Ｔ１とする。ＭＩＰ画像Ａ２に基づいて生成される重畳画像Ｔを重畳画像Ｔ２とする。生成された重畳画像Ｔの各々はモニタ３７に表示される。【００６４】
ＭＩＰ画像Ａの各々に重畳される比較画像Ｆは、被検体の上半身の三次元ボリュームデータを各ＭＩＰ画像Ａと同じ投影方向から投影させた像である。具体的には、ＭＩＰ画像Ａ１に重畳される比較画像Ｆは、被検体の上半身を投影方向Ｓ１（ｙ方向）から投影させた像である。そしてＭＩＰ画像Ａ２には、被検体の上半身を投影方向Ｓ２（ｚ方向）から投影させた像が比較画像Ｆとして重畳される。ＭＩＰ画像Ａと、比較画像Ｆはいずれも正中線をＭＩＰ軸とする投影方向から投影された画像である。そのため、重畳画像に表示される比較画像Ｆと放射線薬剤の集積点とを参照することにより、操作者はＭＩＰ画像に映る放射線薬剤の集積点の位置を、より好適に被検体の上半身全体と対応づけて診断することができる。【００６５】
ステップＳ８（断層画像の表示）
操作者はモニタ３７に表示される重畳画像を参照し、被検体の乳房における放射線薬剤の集積点Ｐについて大凡の位置情報を確認する。そして操作者は確認された位置情報に基づいて入力部３３を操作し、三次元ボリュームデータから断層画像を生成するためのスライス面ＳＬの位置を設定する。図１０に示すように、断層画像生成部３１は三次元データＬＢに対して、設定されたスライス面ＳＬにおける断層画像Ｖを生成する。生成された断層画像Ｖは断層画像生成部３１によって、モニタ３７に表示される。操作者は断層画像Ｖを用いて、左胸の乳房Ｂにおける放射線薬剤の集積点Ｐ１についてより精密な診断を行う。【００６６】
＜実施例１の構成による効果＞
このように、実施例１に係る断層画像表示装置１５を備えるＰＥＴ装置１を用いることにより、複数の関心領域について、より好適に被検体の全身像の情報と対応づけて診断することができる。以下、実施例１に係る構成による効果について説明する。【００６７】
Ｓｌｉｄｉｎｇ法を用いる従来の断層画像表示装置では、正中線から外れた関心領域について三次元ボリュームデータを作成した場合、関心領域の移動に従ってＭＩＰ軸の位置を関心領域の中心線へ移動させる。そして移動後のＭＩＰ軸を回転軸とする単一または複数の投影方向から、関心領域について一連のＭＩＰ画像を生成する。すなわち関心領域が左胸の乳房である場合、従来の装置では図１１（ａ）に示すように、ＭＩＰ軸の位置が正中線ＭＬから中心線Ｍ１へと移動する。中心線Ｍ１は、左胸の乳房について得られる三次元データＬＢの中心点を通り、ｚ方向に平行な線である。また、関心領域が右胸の乳房である場合、三次元データＲＢの中心点を通りｚ方向に平行な中心線Ｍ２がＭＩＰ軸となる。すなわち従来の装置では関心領域の変更に応じて、ＭＩＰ軸の位置も変更される。【００６８】
従来の装置において関心領域が左胸の乳房である場合、三次元データＬＢのＭＩＰ画像を投影する方向の各々は、ＭＩＰ軸である中心線Ｍ１と直交する。従って一例として、ｙ方向に平行であり中心線Ｍ１と直交する投影方向Ｓ１Ｌや、ｚ方向に平行であり中心線Ｍ１と直交する投影方向Ｓ２Ｌなどから三次元データＬＢのＭＩＰ画像群が生成される。投影方向Ｓ１Ｌから投影される三次元データＬＢのＭＩＰ画像Ａ１Ｌや、投影方向Ｓ２Ｌから投影される三次元データＬＢのＭＩＰ画像Ａ２Ｌには、左胸の乳房Ｂにおける放射線薬剤の集積点Ｐ１が映る（図１１（ｂ））。【００６９】
ＭＩＰ画像Ａ１ＬおよびＡ２Ｌは、三次元データＬＢの中心線Ｍ１を画像の中心線とする、左胸の乳房Ｂを映す画像である。ＭＩＰ画像Ａ１ＬおよびＡ２Ｌからなる一連のＭＩＰ画像を連続表示した場合、ＭＩＰ軸である中心線Ｍ１を回転軸として左胸の乳房Ｂの像を回転させる動画が生成される。このような一連のＭＩＰ画像は、左胸の乳房のみに注目して診断する場合は有用である。【００７０】
一方、左胸の乳房Ｂのみを映すＭＩＰ画像では、左胸の乳房における放射線薬剤の集積点Ｐ１と被検体の全身像（または胸部全体の像）とを対応づけて診断することができない。すなわち従来の装置では、ＭＩＰ画像によって特定の関心領域について得られた情報を、全身の画像情報と対応づけて解析することが困難である。その結果、ＭＩＰ画像の解析によって得られる情報が限られるので、ＭＩＰ画像を用いて実行できる診断の範囲が限られるという問題が懸念される。【００７１】
そこで実施例１に係る断層画像表示装置において、ＭＩＰ軸設定部２０は関心領域の位置に関わらず、被検体の正中線ＭＬをＭＩＰ軸と設定するように構成される。すなわちＭＩＰ画像生成部２７は、関心領域が左胸の乳房である場合であっても正中線ＭＬをＭＩＰ軸としてＭＩＰ画像を生成する。従って、ｙ方向に平行であり正中線ＭＬと直交する投影方向Ｓ１や、ｚ方向に平行であり正中線ＭＬと直交する投影方向Ｓ２などから三次元データＬＢのＭＩＰ画像群が生成される。投影方向Ｓ１から投影されるＭＩＰ画像Ａ１、および投影方向Ｓ２Ｌから投影されるＭＩＰ画像Ａ２は、正中線ＭＬを画像の中心線とする、左胸の乳房Ｂを映す画像である（図１１（ｃ））。【００７２】
ＭＩＰ画像Ａ１およびＡ２からなる一連のＭＩＰ画像の各々には、三次元データＬＢの投影像が、被検体の正中線に対する左胸の乳房Ｂに相当する位置に映し出される。すなわち左胸の乳房のように、正中線から外れた関心領域に対してＭＩＰ画像を生成する場合であっても、全身を関心領域としてＭＩＰ画像を生成した場合と同様に、乳房と正中線との位置関係が明確な画像が生成される。【００７３】
従って、操作者は正中線ＭＬをＭＩＰ軸とする一連のＭＩＰ画像を用いて、左胸の乳房Ｂにおける放射線薬剤の集積点Ｐ１と被検体の全身との位置関係を容易かつ正確に確認できる。従って、ＭＩＰ画像を用いてより多様な診断を実行することができる。さらに、被検体の全身または上半身などの比較画像Ｆを、ＭＩＰ軸である正中線ＭＬを基準としてＭＩＰ画像に重ね合わせることにより、放射線薬剤の集積点Ｐ１と被検体の全身との位置関係をより正確に確認できる。【００７４】
このようにＭＩＰ軸を常に被検体の正中線とすることにより、関心領域の位置に関わらず、関心領域のＭＩＰ画像から得られる情報と被検体の全身像とを対応づけて診断できる。さらに重畳画像生成部２９はＭＩＰ画像の各々に対して被検体の全身像などを比較画像として重畳させ、重畳画像を生成する。操作者は三次元データから投影されるＭＩＰ画像と、ＭＩＰ画像に重畳表示される比較画像とを参照することにより、関心領域のＭＩＰ画像から得られる情報と被検体の全身像とを対応づけた俯瞰的な診断を、より正確に実行できる。【００７５】
また実施例１に係る断層画像表示装置は三次元データ統合部２３を備えている。三次元データ統合部２３は、分離した２以上の関心領域について得られた三次元ボリュームデータの各々を、単一の三次元ボリュームデータとして統合する。すなわち左胸の乳房と右胸の乳房とを関心領域とする場合、三次元データ統合部２３は三次元データＬＢおよびＲＢを統合して単一の三次元データＡＬＢを生成する。【００７６】
ＭＩＰ画像生成部２７は正中線ＭＬをＭＩＰ軸として、統合された三次元データＡＬＢのＭＩＰ画像を生成する。この場合、ＭＩＰ画像には左胸の乳房と右胸の乳房の各々について、三次元データの投影像がそれぞれ映り込む。すなわち単一のＭＩＰ画像に複数の関心領域の投影像が、被検体の全身と対応づけた位置にそれぞれ映る。この場合、単一のＭＩＰ画像に基づいて複数の関心領域について俯瞰的な診断を行うことができる。従って、実施例１に係る装置を用いることにより、１人の患者に対して複数の部位を診断する場合に操作者が受ける負担を軽減できる。
【実施例２】
【００７７】
以下、図面を参照してこの発明の実施例２を説明する。なお、実施例２に係る断層画像表示装置１５Ａの全体構成は、実施例１に係る断層画像表示装置１５の全体構成と同様である。但し、実施例１に係る断層画像表示装置１５は三次元データ統合部２３を備えているが、実施例２に係る断層画像表示装置１５Ａは図１２に示すように、三次元データ統合部２３の代わりにＭＩＰ画像統合部４１を備えている。ＭＩＰ画像統合部４１はＭＩＰ画像生成部２７の後段に設けられている。ＭＩＰ画像統合部４１は、それぞれ異なる関心領域について取得された一連のＭＩＰ画像のうち、同一の投影方向について取得されたＭＩＰ画像同士を統合し、単一のＭＩＰ画像として再構成する。【００７８】
すなわち実施例１では図３（ａ）に示すように、複数の関心領域について得られた三次元ボリュームデータの各々について位置合わせを行った後（ステップＳ４）、各々の三次元ボリュームデータを統合する（ステップＳ５）。そして統合されたデータに対して、正中線をＭＩＰ軸として一連のＭＩＰ画像群を生成する（ステップＳ６）。【００７９】
一方、実施例２では図３（ｂ）に示すように、複数の関心領域について得られた三次元ボリュームデータの各々について位置合わせを行った後（ステップＳ４）、各々の三次元ボリュームデータに対してそれぞれ正中線をＭＩＰ軸として一連のＭＩＰ画像群を生成する（ステップＳ５Ａ）。その後、同一の投影方向について生成されたＭＩＰ画像同士を、ＭＩＰ軸を基準として重ね合わせ、複数の関心領域の投影像が映り込む単一のＭＩＰ画像（以下、「統合画像」とする）を生成する（ステップＳ６Ａ）。【００８０】
ここで実施例２に係る断層画像表示装置１５Ａの動作について、実施例２に特徴的なステップＳ５Ａ〜Ｓ６Ａの工程を重点的に説明する。なお実施例１と同様に、左胸の乳房と右胸の乳房の各々を関心領域とし、投影方向をＳ１およびＳ２とする場合を例にとって説明する。またステップＳ１〜Ｓ４の工程は実施例１と同様であるので、説明を省略する。【００８１】
ステップＳ５Ａ（ＭＩＰ画像の生成）
図５に示すように位置情報算出部２１が三次元データＬＢおよびＲＢの位置合わせを行った後、ＭＩＰ画像生成部２７はＭＩＰ画像の生成を行う。すなわちＭＩＰ画像生成部２７は正中線ＭＬをＭＩＰ軸とする三次元データＬＢのＭＩＰ画像ＡＬと、正中線ＭＬをＭＩＰ軸とする三次元データＲＢのＭＩＰ画像ＡＲとを生成する。【００８２】
ＭＩＰ画像ＡＬのうち、投影方向Ｓ１から投影された画像をＭＩＰ画像ＡＬ１とし、投影方向Ｓ２から投影された画像をＭＩＰ画像ＡＬ２とする（図１３、左列）。またＭＩＰ画像ＡＲのうち、投影方向Ｓ１から投影された画像をＭＩＰ画像ＡＲ１とし、投影方向Ｓ２から投影された画像をＭＩＰ画像ＡＲ２とする（図１３、中列）。ＭＩＰ画像ＡＬの各々には、被検体の全身において左胸の乳房に相当する位置に三次元データＡＬの投影像が映る。ＭＩＰ画像ＡＲの各々には、被検体の全身において右胸の乳房に相当する位置に三次元データＡＬの投影像が映る。各々のＭＩＰ画像はＭＩＰ画像統合部４１へ送信される。【００８３】
ステップＳ６Ａ（ＭＩＰ画像の統合）
ＭＩＰ画像統合部４１は同一の投影方向から投影されたＭＩＰ画像を統合し、統合画像ＡＳを生成する。すなわち投影方向Ｓ１から投影されたＭＩＰ画像である、ＭＩＰ画像ＡＬ１とＭＩＰ画像ＡＲ１とを統合して統合画像ＡＳ１を生成する。そして投影方向Ｓ２から投影されたＭＩＰ画像である、ＭＩＰ画像ＡＬ２とＭＩＰ画像ＡＲ２とを統合して統合画像ＡＳ２を生成する（図１３、右列）。統合画像ＡＳの各々には、左右の乳房Ｂが被検体の全身と対応する位置にそれぞれ映る。統合画像ＡＳは本発明における統合ＭＩＰ画像に相当する。【００８４】
統合画像ＡＳは重畳画像生成部２９へ送信され、重畳画像生成部２９は統合画像ＡＳに比較画像Ｆを重畳させて重畳画像を生成する（ステップＳ７）。操作者は統合画像ＡＳを参照して適切なスライス面の位置を決定し、決定したスライス面における断層画像をモニタ３７に表示させる（ステップＳ８）。操作者は断層画像に基づいて、関心領域の診断を行う。【００８５】
このように、実施例２ではＭＩＰ画像を統合することにより、複数の関心領域が被検体の全身に対応する位置にそれぞれ表示される、単一のＭＩＰ画像を投影方向ごとに生成する。この場合、ＭＩＰ画像統合部４１が統合する対象は三次元ボリュームデータ全体ではなく各々のＭＩＰ画像である。そのため、関心領域の各々が被検体の全身に対応する位置にそれぞれ映るＭＩＰ画像を生成するために必要とする計算を簡略化できる。従って、実施例２に係る装置を用いることによって、診断のワークフローをより向上させることができる。【００８６】
本発明は、上記実施形態に限られることはなく、下記のように変形実施することができる。【００８７】
（１）上述した各実施例では、ステップＳ２およびステップＳ３において、２つの関心領域についてそれぞれ三次元ボリュームデータを再構成したが、関心領域の数は適宜増減してもよい。この場合、関心領域の数に応じて三次元ボリュームデータを再構成するステップの数は増減する。また関心領域の数が１つである場合、三次元ボリュームデータ（実施例２ではＭＩＰ画像）を統合する工程は省略される。【００８８】
（２）上述した各実施例では、ＭＩＰ軸の位置を常に正中線としたがこれに限られない。すなわち、各々の関心領域に係るＭＩＰ軸が一致するならば、ＭＩＰ軸設定部２０が設定するＭＩＰ軸の位置は正中線以外であってもよい。一例としては、親指と小指とを関心領域とする場合、中指と手首を結ぶ線をＭＩＰ軸としてＭＩＰ画像を生成する。そして比較画像として手全体の像をＭＩＰ画像に重畳することにより、親指と小指の各々について得られる情報を手全体の位置と対応づけて解析できる。【００８９】
（３）上述した各実施例では、立位姿勢または座位姿勢をとる被検体について診断する場合を例にとって説明したが、本発明に係る構成は、天板に臥位姿勢で載置された被検体に対して診断する場合などにも適用できる。【００９０】
（４）上述した各実施例では、断層画像表示装置が設けられる構成としてＰＥＴ装置を例にとって説明したが、各実施例に係る断層画像表示装置は、ＰＥＴ装置の他にＳＰＥＣＴ装置などの断層画像診断機器にも適用できる。
【符号の説明】
【００９１】
１    …ＰＥＴ装置
７    …放射線検出器
１３  …光検出器
１５  …断層画像表示装置
１７  …同時計数部
１９  …再構成部（三次元データ生成手段）
２０  …ＭＩＰ軸設定部（中心軸設定手段）
２１  …位置情報算出部（位置合わせ手段）
２３  …三次元データ統合部（三次元データ統合手段）
２７  …ＭＩＰ画像生成部（ＭＩＰ画像生成手段）
２９  …重畳画像生成部（重畳画像生成手段）
３１  …断層画像生成部（断層画像生成手段）
３３  …入力部
３５  …記憶部
３７  …モニタ（画像表示手段）
３９  …主制御部
４１  …ＭＩＰ画像統合部（ＭＩＰ画像統合手段）
【図１】
2016080054.tif 000003
【図２】
2016080054.tif 000004
【図３】
2016080054.tif 000005
【図４】
2016080054.tif 000006
【図５】
2016080054.tif 000007
【図６】
2016080054.tif 000008
【図７】
2016080054.tif 000009
【図８】
2016080054.tif 000010
【図９】
2016080054.tif 000011
【図１０】
2016080054.tif 000012
【図１１】
2016080054.tif 000013
【図１２】
2016080054.tif 000014
【図１３】
2016080054.tif 000015
【図１４】
2016080054.tif 000016
【国際調査報告】
2016080054.tif 000017
2016080054.tif 000018